(57)【要約】      （修正有）【課題】簡素で量産性に優れながらも、カップやコーヒーサーバーなどの容器に容易に装着できて、広い開口面積を生じさせることのできる、コーヒー抽出バッグを提供する。【解決手段】コーヒー抽出バッグ１は、焙煎され挽かれたコーヒー豆の粉末（以下、「コーヒー粉末」という）を収容可能であって、略方形を有するフィルター本体２と、フィルター本体２の一方の側面に取り付けられる第１羽根部材５と、フィルター本体２の他方の側面に取り付けられる第２羽根部材６と、を備え、フィルター本体２は、相互に対向して略方形を有する第１フィルター部材３と第２フィルター部材４とで形成され、第１羽根部材５は、第１フィルター部材３に取り付けられ、第２羽根部材６は、第２フィルター部材４に取り付けられ、略方形を有するフィルター本体２において、隣接する端部が開封可能である。【選択図】図１
0003189661.tif 000002
【実用新案登録請求の範囲】
【請求項１】
焙煎され挽かれたコーヒー豆の粉末（以下、「コーヒー粉末」という）を収容可能であって、略方形を有するフィルター本体と、
前記フィルター本体の一方の側面に取り付けられる第１羽根部材と、
前記フィルター本体の他方の側面に取り付けられる第２羽根部材と、を備え、
前記フィルター本体は、相互に対向して略方形を有する第１フィルター部材と第２フィルター部材とで形成され、
前記第１羽根部材は、前記第１フィルター部材に取り付けられ、
前記第２羽根部材は、前記第２フィルター部材に取り付けられ、
略方形を有する前記フィルター本体において、隣接する端部が開封可能である、コーヒー抽出バッグ。
【請求項２】
前記フィルター本体は、略方形形状の４辺のそれぞれである第１端部、第２端部、第３端部および第４端部を有し、
隣接する前記第１端部および前記第２端部が、開封可能である、請求項１記載のコーヒー抽出バッグ。
【請求項３】
前記第１端部および前記第２端部は、予め開封している、請求項２記載のコーヒー抽出バッグ。
【請求項４】
前記第１端部および前記第２端部は、切断により事後的に開封される、請求項２記載のコーヒー抽出バッグ。
【請求項５】
隣接する前記第３端部および前記第４端部は封止されており、前記第１端部および前記第２端部が開封される場合に、前記コーヒー粉末を収容する内部空間を形成可能である、請求項２から４のいずれか記載のコーヒー抽出バッグ。
【請求項６】
前記第１羽根部材は、前記第１フィルター部材の対角線に沿って装着され、
前記第２羽根部材は、前記第２フィルター部材の対角線に沿って装着される、請求項１から５のいずれか記載のコーヒー抽出バッグ。
【請求項７】
前記第１羽根部材は、折り曲げによって突出する容器の縁に取り付け可能な第１爪部を有し、
前記第２羽根部材は、折り曲げによって突出する容器の縁に取り付け可能な第２爪部を有し、
前記第１爪部は、前記第１端部および前記第２端部の交点（以下、「開口点」という）と前記第３端部および前記第４端部の交点（以下、「封止点」という）とを結ぶ線に沿っており、
前記第２爪部は、前記開口点と前記封止点とを結ぶ線に沿っている、請求項６記載のコーヒー抽出バッグ。
【請求項８】
前記フィルター本体は、前記封止点を下方とし前記開口点を上方として、前記第１端部および前記第２端部が開放された開口部を、容器の上方に向ける、請求項７記載のコーヒー抽出バッグ。
【請求項９】
前記開口部は、前記フィルター本体の外周の略半分を、開口できる、請求項８記載のコーヒー抽出バッグ。
【考案の詳細な説明】
【技術分野】
【０００１】
本考案は、焙煎および挽かれたコーヒー豆の粉末を用いてコーヒー液を抽出する際に、カップやコーヒーサーバーなどの容器に装着が容易で使い勝手のよいコーヒー抽出バッグに関する。
【背景技術】
【０００２】
我が国を始め、多くの国おいてコーヒーは人々に愛飲されている。朝食の際、昼食後、休憩時間、眠気防止、談話の際など、様々なシチュエーションで、人々はコーヒーを飲む。ここで、人々に愛飲されているコーヒーには、大きく２種類がある。コーヒーの豆を焙煎して所定の粉末に挽いたものを、種々の方法でドリップして抽出されるコーヒーと、コーヒー抽出物を人工的な粉末としたいわゆるインスタントコーヒーとである。
【０００３】
後者のインスタントコーヒーは、改良が進んでいるといえ、その手軽さと簡単さを優先しているので、味としては不十分であることは否めない。様々なシチューエーションの中には、来客や大事な友人とコーヒーを飲むこともあるし、自分の味にこだわってコーヒーを飲むこともある。あるいは、喫茶店や飲食店で、コーヒーを提供する際には、インスタントコーヒーを用いることは、商売上からも信義上からもはばかれることが多い。
【０００４】
このため、前者のように、焙煎後に挽かれたコーヒー豆の粉末を種々の手段で、ドリップして、コーヒーを入れることが多く行われる。このようないわゆるレギュラーコーヒーであれば、豆、焙煎、挽き方、入れ方などの要素に依存する以外は、一般的にはコーヒー本来の味が楽しめるので、インスタントコーヒーよりはおいしくなることが多い。ここで、ドリップは、様々なやり方を有している。たとえば、サイフォン式、ペーパーフィルター式、ネルドリップ式などの方法で、コーヒーは抽出される。
【０００５】
加えて、近年では、フィルターペーパーの内部に予め挽いたコーヒー豆を封入しておき、コーヒーカップなどの飲用容器に取り付ける機構を備えたコーヒー抽出バッグが提案されている。
【０００６】
これらのコーヒー抽出バッグの多くは、コーヒー豆の粉末を封入しているフィルターの上部部分を開封して、コーヒー豆の粉末を露出させてお湯を、コーヒー豆の粉末に注ぎながら抽出を行うものである。このとき、羽根や爪などの部材が、フィルターに備わっており、これ等が、飲用容器の縁に取り付けられて、フィルターが固定されるようになっていることが多い（例えば、特許文献１参照）。
【先行技術文献】
【特許文献】
【０００７】
【特許文献１】特許第４１０５１８５号公報
【考案の概要】
【考案が解決しようとする課題】
【０００８】
ここで、特許文献１は、上述の通り、必ずコーヒー豆の粉末が封入されているフィルターの上部部分を開封して、中のコーヒー豆の粉末を露出させる必要を有している。この露出したコーヒー豆の粉末にお湯を注ぐことでレギュラーコーヒーを抽出することができる。
【０００９】
しかしながら、特許文献１に代表されるコーヒー抽出バッグは、方形を有したフィルターの上部部分を開封する。すなわち、方形のフィルターの上部の短辺が開くだけであり、カップやコーヒーサーバーに装着されたコーヒー抽出バッグの開口面積が小さい問題がある。
【００１０】
開口面積が小さいことで、お湯を注ぎにくい問題を生じさせる。また、お湯が注ぎにくいことにより、フィルター内部のコーヒー粉末にお湯を注ぐことが出来ずに、フィルターの外にお湯をこぼしてしまう問題も生じさせかねない。加えて、フィルターの開口面積が小さいことで、お湯を注ぎすぎて、フィルター内部のコーヒー粉末を外部にこぼしてしまう問題も生じさせかねない。この場合には、カップやコーヒーサーバーに、コーヒー粉末が混じってしまうとの大きな問題を生じさせる。
【００１１】
また、方形の上部の短辺が開くだけのコーヒー抽出バッグでは、開口部が円形であることの多いカップやコーヒーサーバーに装着しにくい問題がある。この装着においては、フィルターの左右に取り付けられた羽根部材が用いられるが、フィルター上部の開口面積が小さいことで、羽根部材を大きく広げる必要がある。この結果、羽根部材に加わる負荷が大きくなり、お湯を注いでいる最中に、羽根部材がカップなどの縁から外れてしまうなどの問題も生じていた。
【００１２】
羽根部材がカップなどの縁から外れてしまう場合にも、お湯がフィルターの外にこぼれたり、衝撃でコーヒー粉末がこぼれたりしてしまう。
【００１３】
このように、方形のフィルターの上部の短辺が開口するだけの従来技術のコーヒー抽出バッグは、コーヒー液を抽出する際に、確実なコーヒー液の抽出が困難となるなどの問題を生じさせる可能性がある。
【００１４】
加えて、コーヒー液の抽出が難しいことで、すばやくコーヒーを抽出することが難しい問題も生じる。このため、家庭であればよいが、カフェなどの飲食店では、大量の顧客をさばくことが難しい問題も有している。
【００１５】
このように、従来技術のコーヒー抽出バッグは、方形の上部短辺のみしか開口しないことで、コーヒー液の抽出に不便があったり、すばやいコーヒー液の抽出が難しかったりする問題を有していた。
【００１６】
本考案は、これらの問題を解決し、簡素で量産性に優れながらも、カップやコーヒーサーバーなどの容器に容易に装着できて、広い開口面積を生じさせることのできる、コーヒー抽出バッグを提供することを目的とする。
【課題を解決するための手段】
【００１７】
上記課題に鑑み、本考案のコーヒー抽出バッグは、焙煎され挽かれたコーヒー豆の粉末（以下、「コーヒー粉末」という）を収容可能であって、略方形を有するフィルター本体と、
フィルター本体の一方の側面に取り付けられる第１羽根部材と、
フィルター本体の他方の側面に取り付けられる第２羽根部材と、を備え、
フィルター本体は、相互に対向して略方形を有する第１フィルター部材と第２フィルター部材とで形成され、
第１羽根部材は、第１フィルター部材に取り付けられ、
第２羽根部材は、第２フィルター部材に取り付けられ、
略方形を有するフィルター本体において、隣接する端部が開封可能である。
【考案の効果】
【００１８】
本考案のコーヒー抽出バッグは、方形のフィルターの隣接する２辺が開口することで、開口部が大きくなるメリットを生じさせる。開口部が大きくなることで、お湯を注ぎやすくなり、コーヒー液を抽出する作業がやりやすくなるメリットがある。
【００１９】
加えて、本考案のコーヒー抽出バッグは、フィルター本体の両側に設けられる羽根部材が、方形を有するフィルター本体の対角線に対応して設けられる。開口部が大きくなることと相まって、羽根部材がカップやコーヒーサーバーなどの縁に装着しやすくなる。
【００２０】
これらの結果、コーヒー抽出バッグを用いたコーヒー液の抽出が容易となり、すばやい抽出作業が行える。
【図面の簡単な説明】
【００２１】
【図１】本考案の実施の形態におけるコーヒー抽出バッグの正面図である。
【図２】本考案の実施の形態におけるコーヒー抽出バッグの斜視図である。
【図３】本考案の実施の形態における容器に装着されたコーヒー抽出バッグの斜視図である。
【図４】本考案の実施の形態におけるコーヒー粉末を収容したコーヒー抽出バッグの斜視図である。
【図５】本考案の実施の形態におけるコーヒー抽出バッグの側面図である。
【図６】本考案の実施の形態におけるコーヒー抽出バッグの底面図である。
【図７】本考案の実施の形態におけるコーヒー抽出バッグの側面図である。
【考案を実施するための形態】
【００２２】
本考案の第１の考案に係るコーヒー抽出バッグは、焙煎され挽かれたコーヒー豆の粉末（以下、「コーヒー粉末」という）を収容可能であって、略方形を有するフィルター本体と、
フィルター本体の一方の側面に取り付けられる第１羽根部材と、
フィルター本体の他方の側面に取り付けられる第２羽根部材と、を備え、
フィルター本体は、相互に対向して略方形を有する第１フィルター部材と第２フィルター部材とで形成され、
第１羽根部材は、第１フィルター部材に取り付けられ、
第２羽根部材は、第２フィルター部材に取り付けられ、
略方形を有するフィルター本体において、隣接する端部が開封可能である。
【００２３】
この構成により、コーヒー抽出バッグは、広い開口部と広い内部空間を形成して、コーヒー液の抽出に用いられるようになる。
【００２４】
本考案の第２の考案に係るコーヒー抽出バッグは、第１の考案に加えて、フィルター本体は、略方形形状の４辺のそれぞれである第１端部、第２端部、第３端部および第４端部を有し、隣接する第１端部および第２端部が、開封可能である。
【００２５】
この構成により、上方の２辺が開口して、広い開口部が得られる。
【００２６】
本考案の第３の考案に係るコーヒー抽出バッグは、第１の考案に加えて、第１端部および第２端部は、予め開封している。
【００２７】
この構成により、使い勝手がよい。
【００２８】
本考案の第４の考案に係るコーヒー抽出バッグは、第１の考案に加えて、第１端部および第２端部は、切断により事後的に開封される。
【００２９】
この構成により、内部空間にコーヒー粉末を封入した状態で流通させることが出来る。
【００３０】
本考案の第５の考案に係るコーヒー抽出バッグは、第２から第４の考案に加えて、隣接する第３端部および第４端部は封止されており、第１端部および第２端部が開封される場合に、コーヒー粉末を収容する内部空間を形成可能である。
【００３１】
この構成により、広い開口部と内部空間が容易に形成される。
【００３２】
本考案の第６の考案に係るコーヒー抽出バッグは、第１から第５のいずれかの考案に加えて、第１羽根部材は、第１フィルター部材の対角線に沿って装着され、第２羽根部材は、第２フィルター部材の対角線に沿って装着される。
【００３３】
この構成により、開口部が広く上方に広がる。加えて、対角線を略垂直軸として、フィルター本体が容器に装着できる。
【００３４】
本考案の第７の考案に係るコーヒー抽出バッグは、第６の考案に加えて、第１羽根部材は、折り曲げによって突出する容器の縁に取り付け可能な第１爪部を有し、第２羽根部材は、折り曲げによって突出する容器の縁に取り付け可能な第２爪部を有し、第１爪部は、第１端部および第２端部の交点（以下、「開口点」という）と第３端部および第４端部の交点（以下、「封止点」という）とを結ぶ線に沿っており、
第２爪部は、開口点と封止点とを結ぶ線に沿っている。
【００３５】
この構成により、開口部が広く上方に広がる。加えて、対角線を略垂直軸として、フィルター本体が容器に装着できる。
【００３６】
本考案の第８の考案に係るコーヒー抽出バッグは、第７の考案に加えて、フィルター本体は、封止点を下方とし開口点を上方として、第１端部および第２端部が開放された開口部を、容器の上方に向ける。
【００３７】
この構成により、広い開口部が、上方に広がり、お湯を注ぎやすくなる。
【００３８】
本考案の第９の考案に係るコーヒー抽出バッグは、第８の考案に加えて、開口部は、フィルター本体の外周の略半分を、開口できる。
【００３９】
この構成により、お湯が注ぎやすい。
【００４０】
以下、図面を参照しながら、本考案の実施の形態を説明する。
【００４１】
（実施の形態１）
【００４２】
（全外概要）
まず、実施の形態におけるコーヒー抽出バッグの全体概要を説明する。図１は、本考案の実施の形態におけるコーヒー抽出バッグの正面図である。コーヒー抽出バッグ１は、フィルター本体２と、第１羽根部材５と、第２羽根部材６（図１では裏面となり見えない）と、を備える。
【００４３】
フィルター本体２は、相互に対向する第１フィルター部材３と、第２フィルター部材４とから形成される。この第１フィルター部材３と第２フィルター部材４とが対向して、外周が封止されることで、コーヒー粉末を収容可能な内部空間が形成される。すなわち、フィルター本体２は、焙煎され挽かれたコーヒー豆の粉末（以下、「コーヒー粉末」という）を、収容可能である。
【００４４】
第１羽根部材５は、第１フィルター部材３に取り付けられている。第２羽根部材６は、第２フィルター部材４に取り付けられている。このような取り付けにより、第１羽根部材５と第２羽根部材６のそれぞれは、フィルター本体２の両側面に取り付けられることになる。
【００４５】
フィルター本体２は、方形を有する。このため、第１フィルター部材３および第２フィルター部材４のそれぞれも方形を有する。図１では、角のそれぞれが略直角となった方形のフィルター本体２が示されているが、角部にＲや丸みが設けられてもよい。このため、方形とは、略方形であればよく、物理的・数学的に完全な方形に限定される意図ではない。設計や製造の都合により、フィルター本体２の角部に丸みが生じていたり、４辺のそれぞれに湾曲が生じていたりすることが、排除されるものではない。
【００４６】
ここで、略方形を有するフィルター本体２は、４つの辺を有し、それぞれは、第１端部２１、第２端部２２、第３端部２３、第４端部３４である。それぞれは、第１端部２１から第４端部２４の順序で隣り合っている。ここで、相互に隣接する端部である第１端部２１と第２端部２２とは、開封可能である。この第１端部２１と第２端部２２の開封によって、開口部が生じる。
【００４７】
図２は、本考案の実施の形態におけるコーヒー抽出バッグの斜視図である。図２は、コーヒー抽出バッグ１の第１端部２１と第２端部２２とが開封されて開口部２５が生じている状態を示している。
【００４８】
開口部２５が生じているので、フィルター本体２を形成する第１フィルター部材３と第２フィルター部材４とが離隔する。図２は、この第１フィルター部材３と第２フィルター部材４とが離隔して開いている状態を示している。開くことによって、開口部２５が生じる。さらに、第３端部２３と第４端部２４とは、封止されたままであるので、フィルター本体２の上方が開口部２５によって開き、下方は、閉じたままである。
【００４９】
この結果、第１フィルター部材３と第２フィルター部材４との離隔によって、開口部２５から繋がる内部空間２６が形成される。内部空間２６は、フィルター本体２の対角線に沿って形成される。すなわち、全体として、フィルター本体２は、略方形の外形において、対角線を略垂直方向とする開口部２５と内部空間２６とを形成できる。
【００５０】
このように第１端部２１と第２端部２２とが開封されて開口部２５と内部空間２６とができると、容器に装着可能である。
【００５１】
図３は、本考案の実施の形態における容器に装着されたコーヒー抽出バッグの斜視図である。
【００５２】
図３では、カップなどの容器１０に、コーヒー抽出バッグ１が装着されている。コーヒー抽出バッグ１は、図２で示されるように、第１端部２１と第２端部２２とが開封されることで開口部２５と内部空間２６とが形成される。
【００５３】
更に、第１フィルター部材３は、第１羽根部材５を備えている。同様に、第２フィルター部材４は、第２羽根部材６を備えている。第１羽根部材５は、第１フィルター部材３の対角線に沿って取り付けられている。第２羽根部材６は、第２フィルター部材４の対角線に沿って取り付けられている。
【００５４】
また、第１羽根部材５は、折り曲げて突出する第１爪部５１を有している。第２羽根部材６も、同様に折り曲げて突出する第２爪部を有している（図の都合上、見えない）。第１爪部５１と第２爪部６１のそれぞれは、容器１０の縁に引っ掛けるようにして装着される。この第１爪部５１と第２爪部６１との装着により、コーヒー抽出バッグ１全体が、容器１０に装着される。
【００５５】
このとき、図３から明らかな通り、第１端部２１と第２端部２２とが開封されて開口部２５が形成されるので、略方形のフィルター本体２の上方の２辺がそれぞれ斜めに下りるようにして開口部２５が形成される。加えて、第１羽根部材５と第２羽根部材６とは、フィルター本体２の対角線に沿って形成されるので、容器１０に装着されると、上方の２辺が斜めに下りるように開き、下方の２辺が閉じている。
【００５６】
すなわち、略方形のフィルター本体２は、より大きく開いて開口部２５を形成して、第３端部２３と第４端部２４との交点が、底部となるようにして、容器１０に装着される。こうして、第３端部２３と第４端部２４との交点が底部となるようにして、内部空間２６が形成されて、この内部空間２６が、容器１０に対応する。
【００５７】
このように、略方形のフィルター本体２が、対角線を垂直軸として開口部２５と内部空間２６を形成できることで、より広い開口部２５とよりお湯を注ぎやすい内部空間２６を提供できる。従来技術と異なり、お湯を注ぎにくかったり、お湯やコーヒー粉末をあふれさせたりする心配が少なくなる。
【００５８】
図４は、本考案の実施の形態におけるコーヒー粉末を収容したコーヒー抽出バッグの斜視図である。
【００５９】
図４では、第１端部２１と第２端部２２とが開封されて開口部２５と内部空間２６とが形成されたコーヒー抽出バッグ１が示されている。このコーヒー抽出バッグ１は、図３と同様に、対角線を垂直軸として使用される。第１羽根部材５と第２羽根部材６とは、この対角線を垂直軸とできるように、容器の縁に装着される。
【００６０】
このような態様での内部空間２６に、コーヒー粉末２０が収容される。コーヒー粉末２０が収容されれば、コーヒー液の抽出が可能となる。このとき、お湯は、広く開いた開口部２５から注入される。開口部２５は、広く開いており、内部空間２６も広いので、コーヒー粉末２０は、より平面的に収容される。このため、お湯を注ぐ面積が大きくなり、お湯が注がれやすい。当然、お湯もこぼれにくい。
【００６１】
これらの結果、フィルター本体２からお湯があふれたり、コーヒー粉末２０があふれたりする問題が解消される。当然に、すばやくコーヒーを抽出できる。例えば、カフェなどの飲食店で多数の顧客に対応しなければならない場合でも、正確かつすばやく、多くのコーヒーを入れることが出来る。
【００６２】
次に、各部の詳細について説明する。
【００６３】
（フィルター本体）
フィルター本体２は、開口部２５および内部空間２６を形成可能な、コーヒー抽出バッグ１の全体骨格を形成する要素である。不織布で製造される第１フィルター部材３と第２フィルター部材４とが、対向して合わせられることで、フィルター本体２が形成される。
【００６４】
第１フィルター部材３および第２フィルター部材４のそれぞれは、略方形を有している。略方形の定義は上述したとおりである。略方形を有しているので、第１フィルター部材３および第２フィルター部材４は（当然にフィルター本体２も）、４つの辺を有している。４辺のそれぞれが、第１端部２１、第２端部２２、第３端部２３、第４端部２４となる。
【００６５】
ここで、第１端部２１と第２端部２２との交点を、開口点２８と定義する。更に、第３端部２３と第４端部２４との交点を、封止点２９と定義する。フィルター本体２は、この開口点２８と封止点２９とを結ぶ対角線を、略垂直軸として、容器１０に装着されて使用される。
【００６６】
フィルター本体２では、開口点２８を中心とする第１端部２１と第２端部２２とが開封可能である。開封可能であることで、広い範囲での開口部２５が形成される。
【００６７】
ここで、第１端部２１と第２端部２２とは、コーヒー抽出バッグ１が、顧客に提供される際に予め開封されていてもよい。この場合には、顧客は、開封している第１端部２１と第２端部２２とを上方にして、図３に示されるように、容器１０に装着してコーヒー液の抽出に用いる。
【００６８】
あるいは、第１端部２１と第２端部２２とは、切断により事後的に開封されてもよい。この場合には、第１端部２１と第２端部２２とは、封止された状態で、顧客に提供される。顧客は、自身で第１端部２１と第２端部２２とを切断して、開封すればよい。
【００６９】
なお、第１フィルター部材３と第２フィルター部材４とは、第１端部２１〜第４端部２４において相互に接着されているが、それ以外の部分である内部領域では、離隔している。このため、第１端部２１と第２端部２２とが開封されると、予め離隔している内部領域がそのまま内部空間２６となる。
【００７０】
ここで、後者のように、第１端部２１と第２端部２２とが、事後的に開封される場合には、この内部領域にあらかじめコーヒー粉末が収容されていてもよい。この結果、第１端部２１と第２端部２２とが開封されることで、内部のコーヒー粉末にそのまま開口部２５からお湯を注いでコーヒー液を抽出できる。
【００７１】
（開口部と内部空間）
第１端部２１と第２端部２２とが開封されると、開口点２８を上方として封止点２９を下方として、開口部２５を上方に向けて容器１０に装着される。これは、図３、図４に示されるとおりである。この結果、広い開口部２５を、お湯を注ぐ側に向けることができる。加えて、広い面積で、コーヒー粉末２０にお湯を注ぐことができて、より美味しくコーヒー液を抽出することが出来る。
【００７２】
ここで、開口部２５は、第１端部２１と第２端部２２との開封によって形成される開口部２５は、４辺の半分が開くことになるので、開口部２５は、フィルター本体２の外周の略半分を開口できる。これは従来技術の方形の上辺だけを開口する場合に比べて、極めて大きな開口となる。
【００７３】
この大きな開口で、従来技術の諸問題を解決できる。
【００７４】
また、開口部２５がフィルター本体２の外周の略半分となることで、内部空間２６も大きくなる。この大きな内部空間２６にコーヒー粉末２０が収容されるので、コーヒー粉末２０をよりなだらかに収容させた状態とできる。この結果、広い面積でお湯を注ぐことができるようになり、抽出のしやすさはもちろんのこと、より美味しいコーヒー液を抽出できる。
【００７５】
（羽根部材）
第１フィルター部材３は、第１羽根部材５を備えており、第２フィルター部材４は、第２羽根部材６を備えている。第１フィルター部材３および第２フィルター部材４同士は、端部のみで接着されており、内部領域は離隔している。このため、開口部２５が形成されれば、開口部２５を広げるように、第１羽根部材５と第２羽根部材６とが広げられるようになる。
【００７６】
第１羽根部材５および第２羽根部材６のそれぞれは、フィルター本体２の開口点２８から封止点２９を結ぶ対角線に沿って取り付けられる。このような対角線に従って取り付けられることで、第１羽根部材５と第２羽根部材６とを広げるのにあわせて、開口部２５も、開口点２８と封止点２９とを結ぶ対角線を基準に広がるようになる。
【００７７】
図５は、本考案の実施の形態におけるコーヒー抽出バッグの側面図である。
【００７８】
図５は、第１羽根部材５と第２羽根部材６とを広げることで、開口部２５が広がっている状態を、側面から示している。  
【００７９】
第１羽根部材５は、折り曲げによって突出する第１爪部５１を有している。同様に、第２羽根部材６は、折り曲げによって突出する第２爪部６１を有している。第１爪部５１は、開口点２８と封止点２９とを結ぶ対角線に沿って突出する。第２爪部６１も、開口点２８と封止点２９とを結ぶ対角線に沿って突出する。
【００８０】
このような突出により、第１爪部５１と第２爪部６１とは、容器１０に、対角線を略垂直軸として、フィルター本体２を装着できる。このようにして、図３のようなコーヒー抽出バッグ１の容器１０への装着が可能となる。
【００８１】
なお、第１爪部５１および第２爪部６１の形状は、図に示されるものに限られない。図６は、本考案の実施の形態におけるコーヒー抽出バッグの底面図である。第１羽根部材５および第２羽根部材６によって広げられたフィルター本体２を、底面から見た状態を示している。この状態になることで、コーヒー抽出バッグ１は、広い開口部２５と内部空間２６とを有することが出来る。
【００８２】
図７は、本考案の実施の形態におけるコーヒー抽出バッグの側面図である。このように、第２羽根部材６を広げることができる。
なお、第１端部２１は、略方形のフィルター本体２の第１辺ということもでき、第２端部２２は第２辺ということもでき、第３端部２３は第３辺ということもでき、第４端部２４は第４辺ということもできる。
【００８３】
以上のように、本考案の実施の形態におけるコーヒー抽出バッグ１は、広い開口部２５と内部空間２６を形成でき、お湯を注ぎやすい。この結果、ミスや不具合を生じさせることなく、コーヒー液を抽出できる。加えて、すばやく作業できる。
【００８４】
なお、実施の形態１で説明されたコーヒー抽出バッグ１は、本考案の趣旨を説明する一例であり、本考案の趣旨を逸脱しない範囲での変形や改造を含む。
【符号の説明】
【００８５】
１    コーヒー抽出バッグ
２    フィルター本体
２１    第１端部
２２    第２端部
２３    第３端部
２４    第４端部
２５    開口部
２６    内部空間
２８    開口点
２９    封止点
３    第１フィルター部材
４    第２フィルター部材
５    第１羽根部材
５１    第１爪部
６    第２羽根部材
６１    第２爪部
１０    容器
２０  コーヒー粉末
【図１】
0003189661.tif 000003
【図２】
0003189661.tif 000004
【図３】
0003189661.tif 000005
【図４】
0003189661.tif 000006
【図５】
0003189661.tif 000007
【図６】
0003189661.tif 000008
【図７】
0003189661.tif 000009